(57)【特許請求の範囲】
【請求項１】
光入射面の他方の面に信号が記録された又は記録される信号記録面が形成された光ディスク基板と、
前記信号記録面上に形成された光を反射する第１光反射層と、
前記光反射層上に形成された第１保護層と、
前記第１保護層上に形成された鏡面状の第２光反射層と、
前記第２光反射層上に形成された透明な第２保護層と、
を具備することを特徴とする光ディスク。
【請求項２】
請求項１に記載の光ディスクにおいて、
前記第２保護層上に形成された印刷層、
を具備することを特徴とする光ディスク。
【請求項３】
光入射面の他方の面に信号が記録された又は記録される信号記録面が形成された光ディスク基板を作製する第１工程と、
前記第１工程で作製された光ディスク基板の信号記録面上に光を反射する第１光反射層を形成する第２工程と、
前記第２工程で形成された光反射層上に第１保護層を形成する第３工程と、
前記第３工程で形成された第１保護層上に鏡面状の第２光反射層を形成する第４工程と、
前記第４工程で形成された第２光反射層上に透明な第２保護層を形成する第５工程と、
を含むことを特徴とする光ディスクの製造方法。
【請求項４】
請求項３に記載の光ディスクの製造方法において、
前記第５工程で形成された第２保護層上に印刷層を形成する第６工程、
を含むことを特徴とする光ディスクの製造方法。
【請求項５】
光入射面の他方の面に信号が記録された又は記録される信号記録面が形成された光ディスク基板と、
前記信号記録面上に形成された光を反射する第１光反射層と、
前記光反射層上に形成された第１保護層と、
前記第１保護層上に形成された鏡面状の第２光反射層と、
前記第２光反射層上に部分的に形成された第３光反射層と、
前記第２光反射層及び第３光反射層上に形成された透明な第２保護層と、
を具備することを特徴とする光ディスク。
【請求項６】
請求項５に記載の光ディスクにおいて、
前記第２保護層上に形成された印刷層、
を具備することを特徴とする光ディスク。
【請求項７】
光入射面の他方の面に信号が記録された又は記録される信号記録面が形成された光ディスク基板を作製する第１工程と、
前記第１工程で作製された光ディスク基板の信号記録面上に光を反射する第１光反射層を形成する第２工程と、
前記第２工程で形成された光反射層上に第１保護層を形成する第３工程と、
前記第３工程で形成された第１保護層上に鏡面状の第２光反射層を形成する第４工程と、
前記第４工程で形成された第２光反射層上に部分的に第３光反射層を形成する第５工程と、
前記第５工程で形成された第２光反射層及び第３光反射層上に透明な第２保護層を形成する第６工程と、
を含むことを特徴とする光ディスクの製造方法。
【請求項８】
請求項７に記載の光ディスクの製造方法において、
前記第６工程で形成された第２保護層上に印刷層を形成する第７工程、
を含むことを特徴とする光ディスクの製造方法。
【発明の詳細な説明】
【０００１】
【発明の属する技術分野】
本発明は、光ディスク及び光ディスクの製造方法に係り、更に詳しくは、光入射面の他方の面に信号が記録された又は記録される信号記録面が形成された光ディスク基板に光反射層、保護層及び印刷層を形成する光ディスク及び光ディスクの製造方法に関する。
【０００２】
【従来の技術】
従来、この種の光ディスクとしては、コンパクトディスク（以下、「ＣＤ」という）が知られている。
【０００３】
図１は、従来の光ディスクの要部断面図である。
【０００４】
光ディスク１は、レーザ光などが入射される光入射面２ａとピットなどの凹凸により信号が記録された信号記録面２ｂを含む光ディスク基板２、レーザ光を反射する為のアルミなどからなる反射膜３及び反射膜３を酸化や腐食から保護する透明な保護膜４で構成され、最終的には保護膜４の上にレーベル（図示せず）を印刷することにより、商品である光ディスクとして完成する。
【０００５】
この図１に示す状態では、光ディスク１を保護膜４の方から目視すると、従来のＣＤを光入射面２ａから目視した場合と同様に、信号記録面２ｂを直接見ることになり、光ディスク１には、くすんだ銀色のドーナツ部分に光の回折によって放射状の虹色模様が部分的に発生する。
【０００６】
【発明が解決しようとする課題】
従来の光ディスクでは、上述したように、最終的に保護膜４の全体にレーベルを印刷するので、光ディスク１の購入者は保護膜４の方から光ディスク１を目視することができない様になる。即ちこれは、本来光ディスク１が有する保護膜４方向からの眺めを消滅させているものであり、保護膜４を有効利用しているとは言えなかった。
【０００７】
本発明は、上記の問題点を解決する為になされたものであり、従来の光ディスクでは利用されていない光ディスクの保護膜４方向からの眺めを有効に利用することにより、購入者に対してインパクトがあり、商品として魅力に溢れる光ディスク及びその製造方法を提供することを目的とする。
【０００８】
【課題を解決するための手段】
請求項１に係る本発明の光ディスクは、上記の目的を達成する為に、光入射面の他方の面に信号が記録された又は記録される信号記録面が形成された光ディスク基板と、前記信号記録面上に形成された光を反射する第１光反射層と、前記光反射層上に形成された第１保護層と、前記第１保護層上に形成された鏡面状の第２光反射層と、前記第２光反射層上に形成された透明な第２保護層とを具備することを特徴とする。
【０００９】
請求項２に係る本発明の光ディスクは、請求項１に記載の光ディスクにおいて、前記第２保護層上に形成された印刷層を具備することを特徴とする。
【００１０】
請求項３に係る本発明の光ディスクの製造方法は、光入射面の他方の面に信号が記録された又は記録される信号記録面が形成された光ディスク基板を作製する第１工程と、前記第１工程で作製された光ディスク基板の信号記録面上に光を反射する第１光反射層を形成する第２工程と、前記第２工程で形成された光反射層上に第１保護層を形成する第３工程と、前記第３工程で形成された第１保護層上に鏡面状の第２光反射層を形成する第４工程と、前記第４工程で形成された第２光反射層上に透明な第２保護層を形成する第５工程とを含むことを特徴とする。
【００１１】
請求項４に係る本発明の光ディスクの製造方法は、請求項３に記載の光ディスクの製造方法において、前記第５工程で形成された第２保護層上に印刷層を形成する第６工程を含むことを特徴とする。
【００１２】
請求項５に係る本発明の光ディスクは、光入射面の他方の面に信号が記録された又は記録される信号記録面が形成された光ディスク基板と、前記信号記録面上に形成された光を反射する第１光反射層と、前記光反射層上に形成された第１保護層と、前記第１保護層上に形成された鏡面状の第２光反射層と、前記第２光反射層上に部分的に形成された第３光反射層と、前記第２光反射層及び第３光反射層上に形成された透明な第２保護層とを具備することを特徴とする。
【００１３】
請求項６に係る本発明の光ディスクは、請求項５に記載の光ディスクにおいて、前記第２保護層上に形成された印刷層を具備することを特徴とする。
【００１４】
請求項７に係る本発明の光ディスクの製造方法は、光入射面の他方の面に信号が記録された又は記録される信号記録面が形成された光ディスク基板を作製する第１工程と、前記第１工程で作製された光ディスク基板の信号記録面上に光を反射する第１光反射層を形成する第２工程と、前記第２工程で形成された光反射層上に第１保護層を形成する第３工程と、前記第３工程で形成された第１保護層上に鏡面状の第２光反射層を形成する第４工程と、前記第４工程で形成された第２光反射層上に部分的に第３光反射層を形成する第５工程と、前記第５工程で形成された第２光反射層及び第３光反射層上に透明な第２保護層を形成する第６工程とを含むことを特徴とする。
【００１５】
請求項８に係る本発明の光ディスクの製造方法は、請求項７に記載の光ディスクの製造方法において、前記第６工程で形成された第２保護層上に印刷層を形成する第７工程を含むことを特徴とする。
【００１６】
【発明の実施の形態】
以下、本発明の実施の形態を、図面と共に詳細に説明する。
【００１７】
図２は、本発明に係る光ディスクの要部断面図である。
【００１８】
１１は、光ディスクであり、中央部に取り付けの為のセンターホール１８が形成されている。
【００１９】
１２は、光ディスク基板であり、ポリカーボネート、アクリル又はポリオレフィンなどの透明なプラスチック材料を用いて射出成形により製造され、一般的には無色透明である。
【００２０】
１２ａは、光入射面であり、図面下方よりレーザ光などの読み取り又は書き込みビームが入射される。
【００２１】
１２ｂは、信号記録面であり、ピットなどの凹凸により信号が記録されていたり、後に信号を記録する為にグルーブやランドが形成されている。
【００２２】
１３は、光入射面から入射したレーザ光を反射する為の第１反射膜であり、射出成形された光ディスク基板１２の信号記録面１２ｂ上にスパッタリングによって主にアルミニウム薄膜が蒸着される。
【００２３】
１４は、第１反射膜１３を酸化や腐食から保護する透明な第１保護膜であり、第１反射膜１３上に紫外線硬化アクリル樹脂を塗布した後に紫外線を照射することにより形成される。但し、この第１保護膜１４は通常透明であるが、それに限定される訳ではない。
【００２４】
１５は、後述する第２保護膜１６から入射した自然光を反射する為の第２反射膜であり、第１保護膜１４上にスパッタリングによって、例えばアルミニウム薄膜が蒸着され、完全な鏡面状となるので、光入射面１２ａから目視した場合と異なり、くすんだ銀色に放射状の虹色模様が部分的に発生することもない。また、第２反射膜１５に銀色（即ち、アルミニウム薄膜による色）以外の色を着色するために使用される金属としては、アルミニウムの他に、金、チタン、銅、ニッケル、アンチモン、マンガン、その他蒸着可能な金属は勿論のこと、金属以外ではプラスチックなども使用可能である。
【００２５】
１６は、第１保護膜１４と同様に、第２反射膜１５を酸化や腐食から保護する透明（但し、無色である必要はない）な第２保護膜であり、第２反射膜１５上に紫外線硬化アクリル樹脂を塗布した後に、紫外線を照射することにより形成される。
【００２６】
１７は、一般的にレーベルと呼ばれる印刷層であり、光ディスク１１に記録された音楽などの情報の内容を表示する。従来、この印刷層は、光ディスク１１全体をドーナツ状に覆っているが、本発明に係る光ディスク１１では、第２反射膜１５及び第２保護膜１６によって例えば金色の鏡面となっているので、その鏡面の持つ美しさを効果的に利用する為、アルバムタイトルや歌手名、楽曲名などの文字やアーティストの写真などが部分的に印刷される。
【００２７】
次に、本発明に係る光ディスクの製造方法を図面と共に詳細に説明する。
【００２８】
図３は、本発明に係る光ディスクの製造方法による光ディスクの変化を示す平面図である。
【００２９】
図３（Ａ）において、２１は、射出成形により作製された光ディスク基板の信号記録面に第１反射膜及び第１保護膜が従来の方法によって形成された光ディスクであり、その中央部に取り付けの為のセンターホール２２が設けられている。
【００３０】
図３（Ｂ）において、２３は、第１マスクであり、第２反射膜となるアルミニウムや金などを蒸着させない為に光ディスク２１の中心部を覆う。
【００３１】
２４は、第２マスクであり、第１マスク２３と同様に、第２反射膜を蒸着させない為に光ディスク２１の外周部を覆っている。
【００３２】
図４は、本発明に係る光ディスクの製造方法による光ディスクの変化を示す平面図である。
【００３３】
図４（Ａ）において、２５は、第１保護膜上に第２反射膜２６を形成した光ディスクを示しており、第１マスク２３及び第２マスク２４で覆われていない部分には、図中黒く塗りつぶした例えばアルミニウムの第２反射膜２６が蒸着により形成されている。
【００３４】
図４（Ｂ）は、図４（Ａ）に示す光ディスク２５から第１マスク２３及び第２マスク２４を取り外した光ディスク２５を示している。
【００３５】
第２反射膜２６は、光ディスク２５をドーナツ状に覆っているが、その内周部及び外周部４には光の反射膜が形成されていない。
【００３６】
光ディスク２５は、これらの工程を経て、第２反射膜２６上に紫外線硬化アクリル樹脂を塗布した後に、紫外線を照射することにより透明な保護層を形成し、レーベルが印刷されて光ディスク商品として完成する。
【００３７】
図５は、本発明に係る光ディスクの製造方法で使用する第３マスクの一例を示す平面図である。
【００３８】
２７は、第３マスクであり、図４（Ｂ）に示す光ディスク２５に第３反射膜となる金など（第２反射膜と異なる金属が望ましい）を蒸着させる為に、４箇所の切り抜き部２７ａが形成されている。
【００３９】
図６は、本発明に係る光ディスクの製造方法による光ディスクの変化を示す平面図である。
【００４０】
２８は、図４（Ｂ）に示す光ディスク２５に第３反射膜２９ａを形成した光ディスクであり、第３マスク２７で覆われていない部分の第２反射膜２６上に４つの星型の例えば金などの第３反射膜２９ａが蒸着により形成されている。
【００４１】
光ディスク２８は、これらの工程を経て、第２反射膜２６及び４つの星型の第３反射膜２９ａ上に紫外線硬化アクリル樹脂を塗布した後に、紫外線を照射することにより透明な保護層を形成し、レーベルが印刷されて光ディスク商品として完成する。
【００４２】
【発明の効果】
以上説明した様に、本発明に係る光ディスク及び光ディスクの製造方法によれば、従来レーベルが印刷されるだけであった光ディスクの保護層に、更に金属蒸着及び透明保護層を形成して鏡面仕上げしているので、レーベルでは再現できない美しさをディスク自身が醸し出し、購入者にとって大変魅力溢れる光ディスク商品となり、その結果大幅な売り上げの増加が見込まれる。
【図面の簡単な説明】
【図１】従来の光ディスクの要部断面図である。
【図２】本発明に係る光ディスクの要部断面図である。
【図３】本発明に係る光ディスクの製造方法による光ディスクの変化を示す平面図である。
【図４】本発明に係る光ディスクの製造方法による光ディスクの変化を示す平面図である。
【図５】本発明に係る光ディスクの製造方法で使用する第３マスクの一例を示す平面図である。
【図６】本発明に係る光ディスクの製造方法による光ディスクの変化を示す平面図である。
【符号の説明】
１１      光ディスク
１２      光ディスク基板
１２ａ    光入射面
１２ｂ    信号記録面
１３      第１反射膜
１４      第１保護膜
１５      第２反射膜
１６      第２保護膜
１７      印刷層
１８      センターホール
２１      光ディスク
２３      第１マスク
２４      第２マスク
２５      光ディスク
２６      第２反射膜
２７      第３マスク
２７ａ    切り抜き部
２８      光ディスク
２９ａ    第３反射膜
【図１】
0003590278.tif 000002
【図２】
0003590278.tif 000003
【図３】
0003590278.tif 000004
【図４】
0003590278.tif 000005
【図５】
0003590278.tif 000006
【図６】
0003590278.tif 000007